(57)【特許請求の範囲】
【請求項１】
回転する指針部及び前記指針部の背景として発光する背景部により、情報の表示を形成する指針表示装置として、予め規定された回転範囲内を前記指針部が回転により移動する指針表示装置であって、
前記背景部を発光させる光束を放射する光源と、
入射する光束のうち第一偏光方向の偏光を出射する第一偏光板と、
前記指針部を形成し、前記第一偏光板に対して相対回転し、入射する光束のうち第二偏光方向の偏光を出射する第二偏光板と、
前記第一偏光板と前記第二偏光板との間に位置して、入射する光束を複屈折させることによりこれら偏光板と協働で前記背景部を形成し、前記第一偏光板及び前記第二偏光板のうち一方である特定偏光板に保持され、当該特定偏光板の偏光方向である特定偏光方向に対して複屈折による通常偏光及び異常偏光の各偏光方向がずらされる複屈折板と、
を備え、
前記第二偏光板は、前記回転範囲の上限及び下限のいずれか一方に前記指針部を位置させる回転位相にて、前記第二偏光方向を前記第一偏光方向に沿わせることを特徴とする指針表示装置。
【請求項２】
回転する指針部及び前記指針部の背景として発光する背景部により、情報の表示を形成する指針表示装置として、予め規定された回転範囲内を前記指針部が回転により移動する指針表示装置であって、
前記背景部を発光させる光束を放射する光源と、
入射する光束のうち第一偏光方向の偏光を出射する第一偏光板と、
前記指針部を形成し、前記第一偏光板に対して相対回転し、入射する光束のうち第二偏光方向の偏光を出射する第二偏光板と、
前記第一偏光板と前記第二偏光板との間に位置して、入射する光束を複屈折させることによりこれら偏光板と協働で前記背景部を形成し、前記第一偏光板及び前記第二偏光板のうち一方である特定偏光板に保持され、当該特定偏光板の偏光方向である特定偏光方向に対して複屈折による通常偏光及び異常偏光の各偏光方向がずらされる複屈折板と、
を備え、
前記第二偏光板は、前記回転範囲の上限及び下限のいずれか一方に前記指針部を位置させる回転位相にて、前記第一偏光方向に沿う偏光面に対し前記第二偏光方向を実質的に直交させることを特徴とする指針表示装置。
【請求項３】
前記特定偏光方向は、前記通常偏光の偏光方向と前記異常偏光の偏光方向との中間に向かう方向であることを特徴とする請求項１又は２に記載の指針表示装置。
【請求項４】
前記第二偏光板は、前記複屈折板を挟んで前記光源とは反対側に位置することを特徴とする請求項１〜３のいずれか一項に記載の指針表示装置。
【発明の詳細な説明】
【技術分野】
【０００１】
本発明は、回転する指針部及びこの指針部の背景として発光する背景部により、情報の表示を形成する指針表示装置に関する。
【背景技術】
【０００２】
従来、車両等に搭載される表示装置において、入射する光束のうち特定の一方向の偏光を出射する偏光板を備えるものが知られている。例えば、特許文献１，２には、光束を放射するバックライト等の光源と、第一偏光方向の偏光を出射する固定された第１偏光板と、第１偏光板に対して相対回転し且つ第２偏光方向の偏光を出射する第２偏光板とを備える構成が開示されている。
【０００３】
具体的に、特許文献２に開示の車両用計器では、第２偏光板における第２偏光方向が、第１偏光板の第１偏光方向に対し、平行する状態と、直交する状態との間で、回転可能である（段落００２３参照）。第１偏光板及び第２偏光板の各偏光方向が平行の場合、バックライトから放射される光束は、各偏光板を通過することができる。一方で、第１偏光板及び第２偏光板の各偏光方向が直交する場合、バックライトから放射される光束は、各偏光板にて遮られる。以上により、特許文献２の車両用計器は、指針の背景となる表示部の発光状態を、第２偏光板の回転によって変化させることができる。
【０００４】
さて、上述のような偏光板のような光学的に顕著な特定を示すものとして、例えば特許文献３，４に開示されるような偽造防止媒体がある。特許文献３，４の偽造防止媒体には、複屈折パターンが形成されている。複屈折パターンは、入射する光束を複屈折させることにより、通常偏光及び異常偏光を生じさせる。通常偏光及び異常偏光は、互いに偏光方向が実質的に９０°異なっている。加えて、複屈折パターンを通過した通常偏光及び異常偏光の間には、位相差が生じている。
【先行技術文献】
【特許文献】
【０００５】
【特許文献１】特開平６−１０９４９３号公報
【特許文献２】特許第４４２７０１６号公報
【特許文献３】特開２０１０−２８２１５３号公報
【特許文献４】特開２０１０−２２１６５０号公報
【発明の概要】
【発明が解決しようとする課題】
【０００６】
さて、特許文献２等に開示の構成では、指針が偏光板に形成されていないので、指針の移動と表示部の発光状態の変化とを関連させることが難しくなり易かった。加えて、二枚の偏光板が単に組み合わされた上述の構成では、第２偏光板を回転させた場合に、表示部の明るさが変化するものの、表示部の発光色は、バックライトの光源色のまま変化しない。故に、表示部の発光色の変化を指針の移動に関連付けることは、全く想定外であった。したがって、上述の構成は、視認者にとって斬新な表示が可能ではあるものの、当該表示の分り易さを向上させる効果を発揮するには至らなかった。
【０００７】
本発明は、上記問題点に鑑みてなされたものであって、その目的は、簡素な構成を維持しながら、情報を分り易く表示することができる指針表示装置を提供することである。
【課題を解決するための手段】
【０００８】
上記目的を達成するために、請求項１，２に記載の発明は、回転する指針部及び指針部の背景として発光する背景部により、情報の表示を形成する指針表示装置であって、背景部を発光させる光束を放射する光源と、入射する光束のうち第一偏光方向の偏光を出射する第一偏光板と、指針部を形成し、第一偏光板に対して相対回転し、入射する光束のうち第二偏光方向の偏光を出射する第二偏光板と、第一偏光板と第二偏光板との間に位置して、入射する光束を複屈折させることによりこれら偏光板と協働で背景部を形成し、第一偏光板及び第二偏光板のうち一方である特定偏光板に保持され、当該特定偏光板の偏光方向である特定偏光方向に対して複屈折による通常偏光及び異常偏光の各偏光方向がずらされる複屈折板と、を備える指針表示装置とする。
【０００９】
この発明によれば、光源から放射される光束は、第一偏光板及び第二偏光板のうち光源に近接する一方の偏光板に入射する。光源に近接する偏光板からは、当該偏光板の偏光方向に沿った偏光が出射される。この偏光は、第一偏光板と第二偏光板との間に位置する複屈折板に入射することにより、通常偏光及び異常偏光に複屈折される。複屈折板から出射される通常偏光及び異常偏光は、第一偏光板及び第二偏光板のうち光源から離間する他方の偏光板に入射することにより、当該偏光板の偏光方向に向きを揃えられる。これら通常偏光及び異常偏光の間には、複屈折板の通過に伴う位相差が生じている。故に、偏光方向を揃えられた通常偏光及び異常偏光は、互いに干渉可能となる。
【００１０】
ここで、光源から離間する側の偏光板が複屈折板を保持する特定偏光板である形態では、第一偏光板に対する第二偏光板の相対回転により、複屈折板の各偏光方向が、光源に近接する側の偏光板（以下、「非特定偏光板」という）の偏光方向に対して相対的に変化する。複屈折板の各偏光方向のいずれか一方が非特定偏光板の偏光方向に沿う方向となったとき、通常偏光及び異常偏光のうちの一方が、複屈折板から出射される。故に、特定偏光板から出射される光束の干渉が回避されるので、各偏光板及び複屈折板の協働で形成される背景部は、光源と実質的に同じ発光色にて発光する。
【００１１】
そして、第二偏光板の相対回転により、複屈折板の各偏光方向が非特定偏光板の偏光方向に対しずれると、通常偏光及び異常偏光が、共に複屈折板から出射される。特定偏光板の特定偏光方向に対して通常偏光及び異常偏光の各偏光方向がずらされているので、これら通常偏光及び異常偏光は、特定偏光板から共に出射されて、互いに干渉する。こうして各偏光に含まれている特定の周波数域の光束が互いに打ち消し合うことにより、背景部は、光源とは異なる発光色にて発光する。
【００１２】
また、光源に近接する側の偏光板が複屈折板を保持する特定偏光板である形態では、特定偏光方向に対して通常偏光及び異常偏光の各偏光方向がずらされているので、複屈折板からは、通常偏光及び異常偏光が共に出射される。そして、第二偏光板の相対回転により、複屈折板の各偏光方向が、光源から離間する側の非特定偏光板の偏光方向に対し変化する。複屈折板の各偏光方向のいずれか一方が非特定偏光板の偏光方向に沿う方向となったとき、通常偏光及び異常偏光のうち一方が、当該非特定偏光板から出射される。故に、特定偏光板から出射される光束の干渉が回避されるので、背景部は、光源と実質的に同じ発光色にて発光する。
【００１３】
そして、第二偏光板の相対回転により、複屈折板の各偏光方向が非特定偏光板の偏光方向に対しずれると、通常偏光及び異常偏光は、特定偏光板から共に出射されて、互いに干渉する。こうして各偏光に含まれている特定の周波数域の光束が互いに打ち消し合うことにより、背景部は、光源とは異なる発光色にて発光する。
【００１４】
これらの形態において、指針部は、回転する第二偏光板によって形成されている。故に、第二偏光板を回転させることにより、指針部の移動に伴って、背景部の発光色が、光源とは異なる発光色に変化する。以上により、指針表示装置は、簡素な構成を維持しながら、背景部の発光色の変化を指針部の移動に関連付けることにより、当該装置の視認者に情報を分り易く表示することができるのである。
【００１５】
さらに請求項１に記載の発明は、予め規定された回転範囲内を指針部が回転により移動する指針表示装置であって、第二偏光板は、回転範囲の上限及び下限のいずれか一方に指針部を位置させる回転位相にて、第二偏光方向を第一偏光方向に沿わせることを特徴とする。また一方、請求項２に記載の発明は、予め規定された回転範囲内を指針部が回転により移動する指針表示装置であって、第二偏光板は、回転範囲の上限及び下限のいずれか一方に指針部を位置させる回転位相にて、第一偏光方向に沿う偏光面に対し第二偏光方向を実質的に直交させることを特徴とする。
【００１６】
これらの発明のように、第二偏光方向が第一偏光方向に沿う場合、及び第一偏光方向に沿う偏光面に対し第二偏光方向が直交する場合には、光源から離間する側の偏光板から出射される通常偏光及び異常偏光の各光束量は、互いに近似し易くなる。故に、上述の各偏光方向の位置関係では、通常偏光及び異常偏光の干渉が強く生じ得るので、光源の発光色に対する背景部の発光色の変化が、最大となる。よって、回転範囲の上限及び下限のいずれかに指針部を位置させる回転位相にて、上述の各偏光方向の位置関係を満たすように第二偏光板を設けることで、上限及び下限のいずれかへの指針部の移動に伴い、背景部の発光色を次第に変化させる表示が形成される。こうして、指針部の移動と背景部の発光色の変化とが簡潔に関連付けられることにより、指針表示装置による情報の表示の分り易さは、さらに向上する。
【００１７】
請求項３に記載の発明によれば、特定偏光方向は、通常偏光の偏光方向と異常偏光の偏光方向との中間に向かう方向であることを特徴とする。
【００１８】
この発明では、複屈折板を保持する特定偏光板の特定偏光方向が、当該複屈折板における通常偏光の偏光方向と、異常偏光の偏光方向との中間に向かっている。故に、非特定偏光板の偏光方向に対し特定偏光方向が９０°ずれたとき、及び各偏光方向が互いに沿ったときに、光源から離間する側の偏光板から出射される通常偏光及び異常偏光の各光束量は、互いに近似し易くなる。以上により、通常偏光及び異常偏光の干渉を強く生じさせることができるので、指針部の移動に伴う背景部の発光色の変化が明確となる。したがって、指針表示装置による情報の表示の分り易さは、さらに向上する。
【００１９】
請求項４に記載の発明によれば、第二偏光板は、複屈折板を挟んで光源とは反対側に位置することを特徴とする。
【００２０】
この発明によれば、第二偏光板が複屈折板を挟んで光源とは反対側に位置するので、第二偏光板に形成される指針部も、複屈折板に対し光源とは反対側に位置する。故に、指針部は、複屈折板による複屈折作用の影響を受けること無く、明確に視認され得る。こうして、指針部の見易さが確保されることにより、複屈折板を備える形態であっても、情報の表示の分り易さは、確実に維持可能となる。
【図面の簡単な説明】
【００２１】
【図１】本発明の第一実施形態によるコンビネーションメータの燃料計の正面図である。
【図２】本発明の第一実施形態によるコンビネーションメータの機械的構成を示す図であって、図１のＩＩ−ＩＩ線断面図である。
【図３】第一実施形態による燃料計の表示態様の変化を説明するための図である。
【図４】本発明の第一実施形態によるコンビネーションメータの電気的構成を示すブロック図である。
【図５】本発明の第二実施形態によるコンビネーションメータのスピードメータ及びハイブリッドシステムインジケータの正面図である。
【図６】本発明の第二実施形態によるコンビネーションメータの機械的構成を示す図であって、図５のＶＩ−ＶＩ線断面図である。
【図７】第二実施形態によるハイブリッドシステムインジケータの表示態様の変化を説明するための図である。
【図８】第三実施形態による燃料計の機械的構成を示す図である。
【図９】第三実施形態による燃料計の表示態様の変化を説明するための図である。
【図１０】第四実施形態による燃料計の機械的構成を示す図である。
【図１１】第四実施形態による燃料計の表示態様の変化を説明するための図である。
【図１２】第五実施形態による燃料計の機械的構成を示す図である。
【図１３】第五実施形態による燃料計の表示態様の変化を説明するための図である。
【発明を実施するための形態】
【００２２】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００２３】
（第一実施形態）
図１は、本発明の第一実施形態によるコンビネーションメータ１００に含まれる燃料計２０の正面図である。コンビネーションメータ１００は、車両の車室内に設けられたインスツルメントパネル内に収容され、図１に示す正面側を運転席側に向けて配置されている。以下、本発明の第一実施形態によるコンビネーションメータ１００の構成について、図１，２に基づいて説明する。
【００２４】
コンビネーションメータ１００は、車両に関する種々の情報を表示する表示装置である。コンビネーションメータ１００は、燃料計２０、並びに図示されないタコメータ及びスピードメータ等の計器によって構成されている。燃料計２０は、車両に搭載された燃料タンク内に貯留されている燃料の残量を、情報として表示する。燃料計２０による情報の表示は、指針部２１、背景部２３、キャップ部４３、目盛部２６、文字部２５、及びアイコン部２９等を組み合わせることによって形成されている。
【００２５】
指針部２１は、キャップ部４３のまわりを回転することにより、予め規定された回転範囲ＲＲ内の上限ＨＬ及び下限ＬＬ間を移動する。背景部２３は、円形を呈し、指針部２１の背景として発光する。キャップ部４３は、円形を呈し、背景部２３の中央に配置されている。目盛部２６は、指針部２１の回転範囲ＲＲの外周側となる背景部２３の領域に、当該背景部２３の外縁に沿って複数配置されている。文字部２５は、燃料の残量を示す文字を模った意匠であり、各目盛部２６の外周側にそれぞれ配置されている。アイコン部２９は、燃料を連想させる意匠であり、キャップ部４３を挟んで回転範囲ＲＲと反対側となる背景部２３の領域に配置されている。
【００２６】
次に、コンビネーションメータ１００の機械的構成を説明する。コンビネーションメータ１００は、表示板３０、固定偏光板６０、回転偏光板４０、複屈折板５０、及び回路基板８０を備えている。尚、便宜的に、固定偏光板６０に対し表示板３０側となる方向を表示方向とし、固定偏光板６０に対し回路基板８０側となる方向を背面方向とする。
【００２７】
表示板３０は、透光性の樹脂材料を基材として、円環状に形成されている。表示板３０は、径方向の中央に表示板開口部３１を有している。表示板開口部３１の外周側には、上述の文字部２５が設けられている。文字部２５は、当該文字部２５となる領域を避けて基材に施される遮光性の印刷によって形成されている。
【００２８】
固定偏光板６０は、回路基板８０の表示方向に位置しており、支持部材６５を有している。支持部材６５は、遮光性の樹脂材料等によって形成されている。支持部材６５は、表示板開口部３１の内径よりも外径の大きい円盤状に形成された固定偏光板６０の本体部分を、回路基板８０に対して支持している。固定偏光板６０の径方向の中央には、円形の偏光板開口部６１が形成されている。固定偏光板６０において偏光板開口部６１の外周側には、遮光性の印刷等によって目盛部２６が形成されている。固定偏光板６０は、直線偏光を生じさせる偏光素子であって、入射する光束のうち、第一偏光方向ＡＸ１（図３Ａ参照）の偏光を出射する。第一実施形態において、固定偏光板６０は、第一偏光方向ＡＸ１が燃料計２０の鉛直方向に沿う向きにて、回路基板８０に対し固定されている。
【００２９】
回転偏光板４０は、回転偏光板４０と同程度の外径である円盤状に形成されており、表示板３０と複屈折板５０との間に位置している。回転偏光板４０は、固定偏光板６０の表示方向にて、当該偏光板６０と重なるように配置されている。回転偏光板４０は、回転軸部４１及びキャップ部４３を有すると共に、指針部２１を形成している。回転軸部４１は、円盤状を呈する回転偏光板４０の本体部分から背面方向に垂直に延伸することにより、偏光板開口部６１を通過している。回転軸部４１は、後述するステッパーモータ８３に保持されており、固定偏光板６０に対して回転偏光板４０を相対回転可能にする。加えて回転軸部４１は、複屈折板５０を保持している。キャップ部４３は、円盤状を呈する遮光性の樹脂材料によって形成され、燃料計２０の視認者に回転軸部４１等が視認されないように、表示方向から当該回転軸部４１等を隠している。指針部２１は、回転偏光板４０の本体部分において複屈折板５０側となる面に、例えば断面がＶ字状である凹溝を設けることにより、形成されている。回転偏光板４０は、固定偏光板６０と同様に直線偏光を生じさせる偏光素子であって、入射する光束のうち、第二偏光方向ＡＸ２（図３Ａ参照）の偏光を出射する。
【００３０】
複屈折板５０は、固定偏光板６０及び回転偏光板４０と同程度の外径の円盤状に形成されており、固定偏光板６０と回転偏光板４０との間に位置している。複屈折板５０は、固定偏光板６０の表示方向にて、当該偏光板６０と重なるように配置されている。以上により、各要素４０，５０，６０は、回転軸部４１の軸方向において、実質的に同軸上に位置している。複屈折板５０は、径方向の中央に円形の開口である外嵌部５１を形成している。外嵌部５１は、回転軸部４１に外嵌されている。こうして複屈折板５０は、固定偏光板６０及び回転偏光板４０のうち、回転偏光板４０に保持されている。
【００３１】
複屈折板５０には、複屈折を生じさせる複屈折層が印刷によって形成されている。図３Ａに示されるように、複屈折板５０に入射する光束は、複屈折層によって通常偏光ＯＲと、異常偏光ＥＲとに分けられる。異常偏光ＥＲの偏光方向ＡＸＥ（以下、「異常偏光方向」という）に沿う偏光面は、通常偏光ＯＲの偏光方向ＡＸＯ（以下、「通常偏光方向」という）の偏光面に対して、垂直となる。
【００３２】
さらに、複屈折板５０は、回転軸部４１（図２参照）の軸方向まわり（以下、「光軸ＡＸまわり」という）において、通常偏光方向ＡＸＯ及び異常偏光方向ＡＸＥを第二偏光方向ＡＸ２に対しずらした向きにて、回転軸部４１に保持されている。具体的に、第二偏光方向ＡＸ２は、通常偏光方向ＡＸＯと異常偏光方向ＡＸＥとの中間に向けられている。これにより、光軸ＡＸまわりにおいて、通常偏光方向ＡＸＯが第二偏光方向ＡＸ２となす角度、及び異常偏光方向ＡＸＥが第二偏光方向ＡＸ２となす角度は、共に実質的に４５°となっている。以上の構成にて、入射する光束を複屈折させることにより、複屈折板５０は、各偏光板４０，６０と協働で背景部２３を形成している。
【００３３】
図２に示されるように、回路基板８０は、所定の配線パターンが形成された硬質の基板である。回路基板８０には、基板開口部８１が設けられている。基板開口部８１は、回転軸部４１及び後述する指針軸部８４を通過させる円形の開口である。回路基板８０には、配線パターンと接続された複数の電子部品、具体的には、複数の発光ダイオード（Light Emitting Diode；ＬＥＤ）８２、ステッパーモータ８３、及びメータ制御部８５（図４参照）等が実装されている。
【００３４】
ＬＥＤ８２は、背景部２３を発光させる光束を放射する光源である。ＬＥＤ８２は、例えば白色の光源色を有している。各ＬＥＤ８２は、光束基板開口部８１の周囲に、互いに間隔を開けて配置されている。ＬＥＤ８２は、支持部材６５によって外周を囲まれている。故に、ＬＥＤ８２から放射される光束は、支持部材６５によって反射されつつ、固定偏光板６０に入射する。
【００３５】
ステッパーモータ８３は、その本体部分からキャップ部４３へ向かって、表示方向に延伸する指針軸部８４を有している。指針軸部８４の回転は、メータ制御部８５（図４参照）からステッパーモータ８３に出力される制御信号に基づいて、制御される。指針軸部８４には、回転偏光板４０の回転軸部４１が外嵌されている。こうして指針軸部８４が回転軸部４１を保持することにより、回転偏光板４０及び複屈折板５０は、ステッパーモータ８３に駆動されて、固定偏光板６０に対し相対回転する。
【００３６】
図４に示されるメータ制御部８５は、プログラムによって作動するマイクロコンピュータ等によって構成されている。メータ制御部８５は、車内Local Area Network（ＬＡＮ）８６に出力された例えば燃料の残量に関する情報等を取得することにより、当該情報に基づいた制御信号をステッパーモータ８３に出力して、指針軸部８４の回転を制御する。加えてメータ制御部８５は、各ＬＥＤ８２に電圧を印加することにより、当該各ＬＥＤ８２の発光を制御する。
【００３７】
以上の構成では、車両のイグニッションがオン状態とされることにより、イグニッション・リレー８７が、電圧を印加されて通電状態となる。こうして、バッテリ８８からの電力供給を開始されたコンビネーションメータ１００は、図１に示すような背景部２３の発光を開始する。さらに、燃料の残量に応じた角度への指針部２１の回転によって、当該残量を示す指針表示が燃料計２０に形成される。
【００３８】
ここまで説明した燃料計２０について、指針部２１の指示位置の移動に伴う表示態様の変化を、図３に基づいて詳細に説明する。
【００３９】
図３Ａに示されるのは、回転範囲ＲＲの上限ＨＬを指針部２１が指し示した状態の燃料計２０である。このように上限ＨＬに指針部２１を位置させた回転位相にて、回転偏光板４０は、第一偏光方向ＡＸ１に沿う偏光面に対し、第二偏光方向ＡＸ２を実質的に直交させている。故に、回転偏光板４０に保持される複屈折板５０につき、通常偏光方向ＡＸＯ及び異常偏光方向ＡＸＥは、光軸ＡＸまわりにおいて、第一偏光方向ＡＸ１に対し、それぞれ実質的に４５°ずれている。
【００４０】
以上の状態では、各ＬＥＤ８２（図２参照）から放射される光束を固定偏光板６０に入射させることにより、当該固定偏光板６０から第一偏光方向ＡＸ１に沿った偏光Ｐ１が出射される。複屈折板５０に入射した偏光Ｐ１は、第一偏光方向ＡＸ１に対しそれぞれ４５°ずれた向きの通常偏光ＯＲ及び異常偏光ＥＲに複屈折される。そして、通常偏光ＯＲ及び異常偏光ＥＲが回転偏光板４０を通過することにより、これら偏光ＯＲ，ＥＲに含まれる第二偏光方向ＡＸ２に沿った偏光成分が取り出される。通常偏光ＯＲ及び異常偏光ＥＲの間には、複屈折板５０の通過に伴う位相差が生じている。よって、第二偏光方向ＡＸ２に向きを揃えられた通常偏光ＯＲ及び異常偏光ＥＲは、互いに干渉する。すると、各偏光ＯＲ，ＥＲに含まれている特定の周波数域（例えば橙色）の光束が互いに打ち消し合うことにより、背景部２３は、各ＬＥＤ８２（図２参照）とは異なる第一発光色（例えば青色）にて発光する。
【００４１】
図３Ｂに示されるのは、回転範囲ＲＲの上限ＨＬ及び下限ＬＬの中間位置を指針部２１が指し示した状態の燃料計２０である。このように、上限ＨＬ及び下限ＬＬの中間に指針部２１を位置させた回転偏光板４０の回転位相にて、第二偏光方向ＡＸ２は、光軸ＡＸまわりにおいて、固定偏光板６０の第一偏光方向ＡＸ１に対し実質的に４５°ずれている。故に、複屈折板５０の通常偏光方向ＡＸＯは、第一偏光方向ＡＸ１に沿う向きとなる。一方で、複屈折板５０の異常偏光方向ＡＸＥは、第一偏光方向ＡＸ１に沿う偏光面に対し、実質的に直交している。
【００４２】
以上の状態では、通常偏光ＯＲ及び異常偏光ＥＲ（図３Ａ参照）のうちで第一偏光方向ＡＸ１に沿う通常偏光ＯＲが、複屈折板５０から出射される。故に、回転偏光板４０を通過しても、通常偏光ＯＲは、異常偏光ＥＲと干渉しない。こうして、回転偏光板４０から出射される光束の干渉が回避されることにより、背景部２３は、各ＬＥＤ８２（図２参照）の発光色と実質的に同じ白色の発光色にて発光する。
【００４３】
図３Ｃに示されるのは、回転範囲ＲＲの下限ＬＬを指針部２１が指し示した状態の燃料計２０である。このように下限ＬＬに指針部２１を位置させた回転位相にて、回転偏光板４０は、第二偏光方向ＡＸ２を第一偏光方向ＡＸ１に沿わせている。故に、複屈折板５０における通常偏光方向ＡＸＯ及び異常偏光方向ＡＸＥは、光軸ＡＸまわりにおいて、第一偏光方向ＡＸ１に対し、それぞれ実質的に４５°ずれている。
【００４４】
以上の状態では、固定偏光板６０から出射される偏光Ｐ１が複屈折板５０に入射することにより、第一偏光方向ＡＸ１に対しそれぞれ４５°ずれた向きの通常偏光ＯＲ及び異常偏光ＥＲが生じる。そして、回転偏光板４０にて、第二偏光方向ＡＸ２に沿った偏光成分が各偏光ＯＲ，ＥＲから取り出されることにより、これら通常偏光ＯＲ及び異常偏光ＥＲは、互いに干渉する。このとき、光束が互いに打ち消し合う特定の周波数域は、指針部２１が上限ＨＬを指し示した状態（図３Ａ参照）とは異なる周波数域（例えば青色）となる。故に、背景部２３は、第一発光色の補色である第二発光色（例えば橙色）にて発光する。
【００４５】
ここまで説明した第一実施形態によれば、回転偏光板４０を回転させることにより、指針部２１の移動に伴って、背景部２３の発光色が、各ＬＥＤ８２の発光色とは異なる第一発光色及び第二発光色のいずれかに変化する。故に、コンビネーションメータ１００は、簡素な構成を維持しながら、背景部２３の発光色の変化を指針部２１の移動に関連付けることにより、視認者に情報を分り易く表示することができる。
【００４６】
加えて第一実施形態によれば、第二偏光方向ＡＸ２が、通常偏光方向ＡＸＯと異常偏光方向ＡＸＥとの中間に向かっている。故に、第一偏光方向ＡＸ１に対し第二偏光方向ＡＸ２が９０°ずれたとき（図３Ａ参照）、及び各偏光方向ＡＸ１，ＡＸ２の一方が他方に沿ったとき（図３Ｃ参照）に、回転偏光板４０から出射される通常偏光ＯＲ及び異常偏光ＥＲの各光束量は、互いに近似し得る。以上により、通常偏光ＯＲ及び異常偏光ＥＲの干渉を強く生じさせることができるので、指針部２１の移動に伴う背景部２３の発光色の変化が明確となる。したがって、コンビネーションメータ１００による情報の表示の分り易さは、さらに向上する。
【００４７】
また、上述したように、第一偏光方向ＡＸ１に対し第二偏光方向ＡＸ２が９０°ずれたとき、及び各偏光方向ＡＸ１，ＡＸ２の一方が他方に沿ったときに、ＬＥＤ８２の発光色に対する背景部２３の発光色の変化は、最大となる。故に、第一実施形態では、回転範囲ＲＲの上限ＨＬ及び下限ＬＬのいずれかに指針部２１を位置させる回転位相にて、上述の各偏光方向ＡＸ１，ＡＸ２の位置関係が満たされるように、各偏光板４０，６０は、設けられている。以上により、上限ＨＬ及び下限ＬＬのいずれかへの指針部２１の移動に伴い、背景部２３の発光色が次第に変化する表示を、燃料計２０は形成できる。こうして、指針部２１の移動と背景部２３の発光色の変化とが簡潔に関連付けられることにより、コンビネーションメータ１００による情報の表示の分り易さは、さらに向上する。
【００４８】
さらに第一実施形態によれば、回転偏光板４０が複屈折板５０よりも表示方向に位置するので、回転偏光板４０に形成される指針部２１も、複屈折板５０の表示方向に位置する。故に、複屈折板５０による複屈折作用の影響を受けて、指針部２１が視認者から二重に視認されてしまう事態は、回避される。故に、指針部２１は、視認者によって明確に視認され得る。こうして指針部２１の見易さが確保されることにより、複屈折板５０を備える形態であっても、情報の表示の分り易さは、確実に維持可能となる。
【００４９】
尚、第一実施形態において、回転偏光板４０が特許請求の範囲に記載の「第二偏光板」及び「特定偏光板」に相当し、第二偏光方向ＡＸ２が特許請求の範囲に記載の「特定偏光方向」に相当し、固定偏光板６０が特許請求の範囲に記載の「第一偏光板」及び課題を解決するための手段に記載の「非特定偏光板」に相当し、ＬＥＤ８２が特許請求の範囲に記載の「光源」に相当し、コンビネーションメータ１００が特許請求の範囲に記載の「指針表示装置」に相当する。
【００５０】
（第二実施形態）
図５〜７に示される本発明の第二実施形態は、第一実施形態の変形例である。第二実施形態によるコンビネーションメータ２００には、図５に示されるスピードメータ２１０及びハイブリッドシステムインジケータ２２０を組み合わせてなる表示器が形成されている。以下、第二実施形態によるコンビネーションメータ２００の構成について、説明する。
【００５１】
コンビネーションメータ２００において、スピードメータ２１０は、車両の走行速度を情報として表示する。ハイブリッドシステムインジケータ２２０は、内燃機関とモータとを組み合わせてなるハイブリッド方式の駆動システムの出力を、情報として表示する。スピードメータ２１０及びハイブリッドシステムインジケータ２２０による情報の表示は、指針部２１１，２２１、背景部２２３、キャップ部４３、目盛部２１６、及び文字部２１５，２２５等を組み合わせることによって形成されている。
【００５２】
指針部２１１は、キャップ部４３のまわりを回転することにより、スピードメータ２１０による情報の表示を、目盛部２１６及び文字部２１５等と協働で形成する。一方、指針部２２１は、キャップ部４３のまわりを回転することにより、予め規定された回転範囲ＲＲの上限ＨＬ及び下限ＬＬ間を移動する。指針部２２１は、ハイブリッドシステムインジケータ２２０による情報の表示を、背景部２２３及び文字部２２５等と協働で形成する。
背景部２２３は、第一実施形態の背景部２３（図１参照）に相当する構成であって、指針部２２１の背景として発光する。目盛部２１６は、文字部２１５の外周側に複数配置されている。文字部２１５は、車両の走行速度を示す数字を模った意匠であり、目盛部２１６の内周側に配置されている。一方、文字部２２５は、駆動システムの出力を示す文字を模った意匠であり、回転範囲ＲＲに沿って配置されている。
【００５３】
次に、コンビネーションメータ２００の機械的構成を、図６に基づいて説明する。コンビネーションメータ２００は、表示板２３０、スモーク板２３３、目盛部材２３４、リフレクタ２３５、固定偏光板２６０、回転偏光板２４０、複屈折板２５０、導光板２６６、回転透光板２３２、及び回路基板８０を備えている。
【００５４】
表示板２３０は、第一実施形態の表示板３０（図２参照）に相当し、表示板開口部３１の外周側に、文字部２１５を形成している。スモーク板２３３は、透光性の樹脂材料に半透明の黒色の印刷を施すことによって形成されている。スモーク板２３３は、表示板２３０及び固定偏光板２６０の表示方向に位置している。目盛部材２３４は、透光性の樹脂材料によって形成され、表示板２３０の外周側に環状に配置されている。目盛部材２３４の背面方向の表面には、目盛部２１６となるＶ字状の凹溝が形成されている。リフレクタ２３５は、第一実施形態における固定偏光板６０の支持部材６５（図２参照）に類似する構成であって、表示板２３０及び回路基板８０等を保持している。
【００５５】
固定偏光板２６０、回転偏光板２４０、及び複屈折板２５０は、第一実施形態の要素６０、４０、及び５０（図２参照）にそれぞれ相当する。固定偏光板２６０は、表示板２３０の表示板開口部３１に内嵌されることにより、当該表示板２３０に固定されている。回転偏光板２４０の背面方向の表面には、指針部２２１となるＶ字状の凹溝が形成されている。複屈折板２５０は、回転偏光板２４０の背面方向の表面と重ねられており、当該回転偏光板２４０に保持されている。
【００５６】
導光板２６６は、透光性の樹脂材料によって形成されており、固定偏光板２６０の背面方向に位置している。導光板２６６は、各ＬＥＤ８２から放射された光束を、固定偏光板２６０へ導光し、当該偏光板２６０に入射させる。回転透光板２３２は、透光性の樹脂材料により、回転偏光板２４０と同程度の外径の円盤状に形成されている。回転透光板２３２は、表示板２３０と複屈折板２５０との間に位置しており、回転偏光板２４０等と同軸となるように配置されている。回転透光板２３２の背面方向の表面には、指針部２１１となるＶ字状の凹溝が形成されている。回転透光板２３２は、後述するステッパーモータ２８３に保持されており、表示板２３０に対して相対回転可能である。
【００５７】
回路基板８０には、ＬＥＤ８２，２８９、ステッパーモータ２８３、及びメータ制御部８５（図４参照）等が実装されている。ＬＥＤ２８９は、目盛部２１６を発光させる光束を放射する光源である。ＬＥＤ２８９から放射される光束は、目盛部材２３４に入射することによってＶ字状の凹溝にて反射され、目盛部２１６を発光させる。ステッパーモータ２８３は、指針軸部８４及び当該軸部８４の外周を囲む筒状の指針筒部２８４を有している。指針軸部８４及び指針筒部２８４の回転は、メータ制御部８５からステッパーモータ２８３に出力される制御信号に基づいて、個々に制御される。指針筒部２８４には、回転透光板２３２が外嵌されている。以上により、ステッパーモータ２８３は、指針軸部８４の駆動によって回転偏光板２４０に形成された指針部２２１を移動させると共に、指針筒部２８４の駆動によって回転透光板２３２に形成された指針部２１１を移動させる。
【００５８】
ここまで説明したハイブリッドシステムインジケータ２２０について、指針部２２１の指示位置の移動に伴う表示態様の変化を、図７に基づいて詳細に説明する。
【００５９】
図７Ａは、回転範囲ＲＲの上限ＨＬを指針部２２１が指し示した状態のハイブリッドシステムインジケータ２２０である。この状態では、複屈折板２５０における通常偏光方向ＡＸＯ及び異常偏光方向ＡＸＥは、光軸ＡＸまわりにおいて、第一偏光方向ＡＸ１に対し、それぞれ実質的に４５°ずれている。故に、固定偏光板２６０から出射される偏光Ｐ１が複屈折板２５０に入射することにより、第一偏光方向ＡＸ１に対しそれぞれ４５°ずれた向きの通常偏光ＯＲ及び異常偏光ＥＲが生じる。そして、回転偏光板２４０にて、第二偏光方向ＡＸ２に沿った偏光成分が各偏光ＯＲ，ＥＲから取り出されることにより、これら通常偏光ＯＲ及び異常偏光ＥＲは、互いに干渉する。すると、各偏光ＯＲ，ＥＲに含まれている特定の周波数域（例えば橙色）の光束が互いに打ち消し合うことにより、背景部２２３は、各ＬＥＤ８２（図６参照）とは異なる第一発光色（例えば青色）にて発光する。
【００６０】
図７Ｂは、回転範囲ＲＲの上限ＨＬ及び下限ＬＬの中間位置を指針部２２１が指し示した状態のハイブリッドシステムインジケータ２２０である。この状態では、通常偏光方向ＡＸＯは、第一偏光方向ＡＸ１に沿う向きとなり、異常偏光方向ＡＸＥは、第一偏光方向ＡＸ１に沿う偏光面に対し、実質的に直交する向きとなる。故に、通常偏光ＯＲ及び異常偏光ＥＲ（図７Ａ参照）のうちで第一偏光方向ＡＸ１に沿う通常偏光ＯＲが、複屈折板２５０から出射される。故に、回転偏光板２４０を通過しても、通常偏光ＯＲは、異常偏光ＥＲと干渉しない。こうして、回転偏光板２４０から出射される光束の干渉が回避されることにより、背景部２２３は、各ＬＥＤ８２（図６参照）の発光色と実質的に同じ白色の発光色にて発光する。
【００６１】
図７Ｃは、回転範囲ＲＲの下限ＬＬを指針部２２１が指し示した状態のハイブリッドシステムインジケータ２２０である。この状態では、複屈折板２５０における通常偏光方向ＡＸＯ及び異常偏光方向ＡＸＥは、光軸ＡＸまわりにおいて、第一偏光方向ＡＸ１に対し、それぞれ実質的に４５°ずれている。故に、固定偏光板２６０から出射される偏光Ｐ１が複屈折板２５０に入射することにより、第一偏光方向ＡＸ１に対しそれぞれ４５°ずれた向きの通常偏光ＯＲ及び異常偏光ＥＲが生じる。そして、回転偏光板２４０にて、第二偏光方向ＡＸ２に沿った偏光成分が各偏光ＯＲ，ＥＲから取り出されることにより、これら通常偏光ＯＲ及び異常偏光ＥＲは、互いに干渉する。このとき、光束が互いに打ち消し合う特定の周波数域は、指針部２２１が上限ＨＬを指し示した状態（図７Ａ参照）とは異なる周波数域（例えば青色）となる。故に、背景部２２３は、第一発光色の補色である第二発光色（例えば橙色）にて発光する。
【００６２】
ここまで説明した第二実施形態でも、第一実施形態と同様の作用が発揮されることとなる。したがって、ハイブリッドシステムインジケータ２２０は、簡素な構成を維持しながら、背景部２２３の発光色の変化を指針部２２１の移動に関連付けることにより、視認者に情報を分り易く表示することができる。
【００６３】
尚、第二実施形態において、回転偏光板２４０が特許請求の範囲に記載の「第二偏光板」及び「特定偏光板」に相当し、固定偏光板２６０が特許請求の範囲に記載の「第一偏光板」及び課題を解決するための手段に記載の「非特定偏光板」に相当し、コンビネーションメータ２００が特許請求の範囲に記載の「指針表示装置」に相当する。
【００６４】
（第三実施形態）
図８，９に示される本発明の第三実施形態は、第一実施形態の別の変形例である。第三実施形態による燃料計３２０において、複屈折板３５０は、固定偏光板６０の支持部材３６５によって外縁部分を固定されている。複屈折板３５０は、複屈折板開口部３５２及びウォーニング部３２８を形成している。複屈折板開口部３５２は、複屈折板３５０の径方向の中央に円形に形成され、回転軸部４１を通過させている。ウォーニング部３２８は、複屈折板開口部３５２の外周側に位置し、指針部２１が下限ＬＬに近づくに連れて背景部２３に浮かび上がる意匠である。
【００６５】
以上の複屈折板３５０は、光軸ＡＸまわりにおいて、通常偏光方向ＡＸＯ及び異常偏光方向ＡＸＥを第一偏光方向ＡＸ１に対しずらした向きにて、固定偏光板６０に保持されている。具体的に、光軸ＡＸまわりにおいて、通常偏光方向ＡＸＯが第一偏光方向ＡＸ１となす角度、及び異常偏光方向ＡＸＥが第一偏光方向ＡＸ１となす角度は、共に実質的に４５°となっている。以上の構成にて、複屈折板３５０は、入射する光束を複屈折させることにより、各偏光板４０，６０と協働で背景部２３を形成している。以下、第三実施形態による燃料計３２０について、指針部２１の指示位置の移動に伴う表示態様の変化を、図９に基づき詳細に説明する。
【００６６】
図９Ａは、回転範囲ＲＲの上限ＨＬを指針部２１が指し示した状態の燃料計３２０であり、図３Ａに示される燃料計２０と実施的に同一の表示態様となる。この状態では、固定偏光板６０から出射される偏光Ｐ１が複屈折板３５０に入射することにより、当該複屈折板３５０にて、通常偏光ＯＲ及び異常偏光ＥＲが生じる。これら通常偏光ＯＲ及び異常偏光ＥＲは、回転偏光板４０の通過によって偏光方向を揃えられることにより、互いに干渉する。以上により、背景部２３は、各ＬＥＤ８２（図８参照）とは異なる第一発光色（例えば青色）にて発光する。また、指針部２１が上限ＨＬを示す状態では、ウォーニング部３２８（図９Ｃ参照）は、表示されない。
【００６７】
図９Ｂは、回転範囲ＲＲの上限ＨＬ及び下限ＬＬの中間位置を指針部２１が指し示した状態の燃料計３２０である。この状態では、複屈折板３５０に対する回転偏光板４０の相対回転により、第二偏光方向ＡＸ２は、通常偏光方向ＡＸＯ及び異常偏光方向ＡＸＥに対し変化しており、通常偏光方向ＡＸＯに沿う向きとなっている。以上の状態では、通常偏光ＯＲ及び異常偏光ＥＲのうちで第二偏光方向ＡＸ２に沿う通常偏光ＯＲが、回転偏光板４０から出射される。故に、通常偏光ＯＲと異常偏光ＥＲとの干渉が回避されるので、背景部２３は、各ＬＥＤ８２（図８参照）の発光色と実質的に同じ白色の発光色にて発光する。また、上限ＨＬ及び下限ＬＬの中間を指針部２１が示す状態において、ウォーニング部３２８は、背景部２３に薄く表示される。
【００６８】
図９Ｃは、回転範囲ＲＲの下限ＬＬを指針部２１が指し示した状態の燃料計３２０である。この状態では、複屈折板３５０の通常偏光方向ＡＸＯ及び異常偏光方向ＡＸＥは、光軸ＡＸまわりにおいて、第二偏光方向ＡＸ２に対し、それぞれ実質的に４５°ずれている。故に、複屈折板３５０にて生じた通常偏光ＯＲ及び異常偏光ＥＲは、回転偏光板４０の通過によって偏光方向を揃えられることにより、互いに干渉する。以上により、背景部２３は、第一発光色の補色である第二発光色（例えば橙色）にて発光する。また、指針部２１が下限ＬＬを示す状態において、ウォーニング部３２８は、背景部２３に明確に表示される。
【００６９】
ここまで説明したように、複屈折板３５０が固定偏光板６０に保持される第三実施形態でも、第一実施形態と同様の作用が発揮されることとなる。したがって、燃料計３２０は、簡素な構成を維持しながら、背景部２３の発光色の変化を指針部２１の移動に関連付けることにより、視認者に情報を分り易く表示することができる。
【００７０】
尚、第三実施形態において、回転偏光板４０が特許請求の範囲に記載の「第二偏光板」及び課題を解決するための手段に記載の「非特定偏光板」に相当し、固定偏光板６０が特許請求の範囲に記載の「第一偏光板」及び「特定偏光板」に相当し、第一偏光方向ＡＸ１が特許請求の範囲に記載の「特定偏光方向」に相当する。
【００７１】
（第四実施形態）
図１０，１１に示される本発明の第四実施形態は、第三実施形態の変形例である。第四実施形態による燃料計４２０では、固定偏光板４６０が、複屈折板４５０の表示方向に位置している。一方で、回転偏光板４４０が、複屈折板４５０の背面方向に位置している。複屈折板４５０は、固定偏光板４６０の有する支持部材４６５により、外周部分を固定されている。この複屈折板４５０につき、光軸ＡＸまわりにおいて、通常偏光方向ＡＸＯが第一偏光方向ＡＸ１となす角度、及び異常偏光方向ＡＸＥが第一偏光方向ＡＸ１となす角度は、第三実施形態と同様に、共に実質的に４５°となっている。以下、指針部２１の指示位置の移動に伴う燃料計４２０の表示態様の変化を、図１１に基づき詳細に説明する。
【００７２】
図１１Ａは、回転範囲ＲＲの上限ＨＬを指針部２１が指し示した状態の燃料計４２０である。この状態では、回転偏光板４４０から出射される偏光Ｐ１が複屈折板４５０に入射することにより、当該複屈折板４５０にて、通常偏光ＯＲ及び異常偏光ＥＲが生じる。これら通常偏光ＯＲ及び異常偏光ＥＲは、固定偏光板４６０の通過によって偏光方向を揃えられることにより、互いに干渉する。以上により、背景部２３は、各ＬＥＤ８２（図１０参照）とは異なる発光色にて発光する。
【００７３】
図１１Ｂは、回転範囲ＲＲの上限ＨＬ及び下限ＬＬの中間位置を指針部２１が指し示した状態の燃料計４２０である。この状態では、複屈折板４５０に対する回転偏光板４４０の相対回転により、第二偏光方向ＡＸ２は、通常偏光方向ＡＸＯに沿う向きとなっている。以上の状態では、第二偏光方向ＡＸ２に沿う通常偏光ＯＲが、複屈折板４５０から出射されて、固定偏光板４６０を通過する。故に、通常偏光ＯＲと異常偏光ＥＲ（図１１Ａ参照）との干渉が回避されるので、背景部２３は、各ＬＥＤ８２（図１０参照）の発光色と実質的に同じ白色の発光色にて発光する。
【００７４】
図１１Ｃは、回転範囲ＲＲの下限ＬＬを指針部２１が指し示した状態の燃料計４２０である。この状態では、複屈折板４５０にて生じた通常偏光ＯＲ及び異常偏光ＥＲは、固定偏光板４６０の通過によって偏光方向を揃えられることにより、互いに干渉する。以上により、背景部２３は、各ＬＥＤ８２（図１０参照）とは異なる発光色にて発光する。
【００７５】
ここまで説明した第四実施形態でも、第三実施形態と同様の作用が発揮される。故に、燃料計４２０は、簡素な構成を維持しながら、背景部２３の発光色の変化を指針部２１の移動に関連付けることにより、視認者に情報を分り易く表示することができる。
【００７６】
尚、第四実施形態において、回転偏光板４４０が特許請求の範囲に記載の「第二偏光板」及び課題を解決するための手段に記載の「非特定偏光板」に相当し、固定偏光板４６０が特許請求の範囲に記載の「第一偏光板」及び「特定偏光板」に相当し、第一偏光方向ＡＸ１が特許請求の範囲に記載の「特定偏光方向」に相当する。
【００７７】
（第五実施形態）
図１２，１３に示される本発明の第五実施形態は、第一実施形態のさらに別の変形例である。第五実施形態による燃料計５２０では、固定偏光板５６０が、複屈折板５５０の表示方向に位置している。一方で、回転偏光板５４０が、複屈折板５５０の背面方向に位置している。複屈折板５５０は、回転偏光板５４０の有する回転軸部５４１によって保持されている。この複屈折板５５０につき、光軸ＡＸまわりにおいて、通常偏光方向ＡＸＯが第一偏光方向ＡＸ１となす角度、及び異常偏光方向ＡＸＥが第一偏光方向ＡＸ１となす角度は、第四実施形態と同様に、共に実質的に４５°となっている。以下、指針部２１の指示位置の移動に伴う燃料計５２０の表示態様の変化を、図１３に基づき詳細に説明する。
【００７８】
図１３Ａは、回転範囲ＲＲの上限ＨＬを指針部２１が指し示した状態の燃料計５２０である。この状態では、回転偏光板５４０から出射される偏光Ｐ１が複屈折板５５０に入射することにより、当該複屈折板５５０にて、通常偏光ＯＲ及び異常偏光ＥＲが生じる。これら通常偏光ＯＲ及び異常偏光ＥＲは、固定偏光板５６０の通過によって偏光方向を揃えられることにより、互いに干渉する。以上により、背景部２３は、各ＬＥＤ８２（図１２参照）とは異なる発光色にて発光する。
【００７９】
図１３Ｂは、回転範囲ＲＲの上限ＨＬ及び下限ＬＬの中間位置を指針部２１が指し示した状態の燃料計５２０である。この状態では、固定偏光板５６０に対する複屈折板５５０及び回転偏光板５４０の相対回転により、第一偏光方向ＡＸ１は、通常偏光方向ＡＸＯに沿う向きとなっている。故に、第一偏光方向ＡＸ１に沿う通常偏光ＯＲが、固定偏光板５６０を通過する。以上により、通常偏光ＯＲと異常偏光ＥＲとの干渉が回避されるので、背景部２３は、各ＬＥＤ８２（図１２参照）の発光色と実質的に同じ白色の発光色にて発光する。
【００８０】
図１３Ｃは、回転範囲ＲＲの下限ＬＬを指針部２１が指し示した状態の燃料計５２０である。この状態では、複屈折板５５０にて生じた通常偏光ＯＲ及び異常偏光ＥＲは、固定偏光板５６０の通過によって偏光方向を揃えられることにより、互いに干渉する。以上により、背景部２３は、各ＬＥＤ８２（図１２参照）とは異なる発光色にて発光する。
【００８１】
ここまで説明した第五実施形態でも、第一実施形態と同様の作用が発揮される。故に、燃料計５２０は、簡素な構成を維持しながら、背景部２３の発光色の変化を指針部２１の移動に関連付けることにより、視認者に情報を分り易く表示することができる。
【００８２】
尚、第五実施形態において、回転偏光板５４０が特許請求の範囲に記載の「第二偏光板」及び「特定偏光板」に相当し、第二偏光方向ＡＸ２が特許請求の範囲に記載の「特定偏光方向」に相当し、固定偏光板５６０が特許請求の範囲に記載の「第一偏光板」及び課題を解決するための手段に記載の「非特定偏光板」に相当する。
【００８３】
（他の実施形態）
以上、本発明による複数の実施形態について説明したが、本発明は、上記実施形態に限定して解釈されるものではなく、本発明の要旨を逸脱しない範囲内において種々の実施形態及び組み合わせに適用することができる。
【００８４】
上記実施形態において、複屈折板は、その表面に形成された複屈折層によって、光束を複屈折させる作用を発揮していた。このような複屈折層を形成するに際して、例えば、引用文献３及び引用文献４等に記載されたパターニング光学異方性層を形成する技術（「フォージガード」（登録商標；第５２７０６８７号及び第５３３０９２６号，富士フィルム株式会社）参照）を用いることが望ましい。
【００８５】
上記実施形態において、背景部の発光色は、回転範囲ＲＲの上限ＨＬ及び下限ＬＬにて青色及び橙色のいずれかとなっていた。しかし、回転範囲ＲＲの上限ＨＬ及び下限ＬＬにおける背景部の発光色は、適宜変更されてよい。例えば、複屈折板に形成する複屈折層の厚みを調整することにより、当該複屈折板から出射される通常偏光ＯＲ及び異常偏光ＥＲ間に生じる位相差を変えられるので、ひいては干渉する光束の周波数域を変化させることが可能となる。故に、第一発光色及び第二発光色は、上記実施形態とは異なる補色同士の組み合わせ（例えば、緑色と赤色等）に変更可能なのである。
【００８６】
加えて、光源となる各ＬＥＤ８２の発光色を変更することにより、背景部の発光色が変えられていてもよい。例えば、特定の周波数域（例えば、青色の周波数域等）しか含まない光束を放射するＬＥＤが、光源として設けられたとする。すると、青色の補色となる色の周波数域を干渉させることにより、背景部は、光源の発光色と同一の色相であって、光源の発光色よりも鮮明な色にて、発光することができるようになる。
【００８７】
さらに、背景部は、回転範囲ＲＲの上限ＨＬ及び下限ＬＬにて、光源と同じ発光色にて発光してもよい。又は、上限ＨＬから下限ＬＬに指針部が移動することに伴い、背景部の発光色は、第一発光色と第二発光色との間にて変化を繰り返してもよい。さらに、背景部の形状は、上記実施形態のような円形に限定されず、適宜変更されてよい。
【００８８】
上記実施形態では、光軸ＡＸまわりにおいて特定偏光方向が各偏光方向ＡＸＯ，ＡＸＥとの間にて実質的に４５°の角度をなすように、特定偏光板は、複屈折板を保持していた。しかし、特定偏光方向と各偏光方向ＡＸＯ，ＡＸＥとの間の角度は、適宜変更されてよく、４５°からずれていてもよい。
【００８９】
上記実施形態において、複屈折板は、回転偏光板の回転軸部及び固定偏光板の支持部材のいずれか一方によって保持されていた。複屈折板を保持する部材は、これらの構成に限定されない。例えば、回転偏光板及び固定偏光板において偏光を生じさせる本体部分が、複屈折板を直接的に保持していてもよい。又は、回転偏光板及び複屈折板における複屈折板を保持するための構成が、筐体、ステッパーモータ、リフレクタ、及び表示板等の構成と一体的に形成されていてもよい。さらに、複屈折板は、回転偏光板及び固定偏光板の一方と一体的に形成されていてもよい。
【００９０】
以上、コンビネーションメータを構成する計器のうち、燃料の残量を表示する燃料計及びハイブリッドシステムの出力を表示するハイブリッドシステムインジケータに本発明を適用した例を説明した。しかし、本発明は、これら燃料計及びハイブリッドシステムインジケータに限らず、スピードメータ及びタコメータ等の指針部及び背景部を有する計器全般に適用可能である。さらに、本発明は、計器に限らず、例えば車両用空調機器における現在の設定温度を指針部にて指し示すことにより、当該設定温度を情報として表示する、回転可能なダイヤル等の操作系に適用されてもよい。
【符号の説明】
【００９１】
ＡＸ  光軸、ＡＸ１  第一偏光方向、ＡＸ２  第二偏光方向、ＡＸＯ  通常偏光方向、ＡＸＥ  異常偏光方向、ＯＲ  通常偏光、ＥＲ  異常偏光、Ｐ１  偏光、ＲＲ  回転範囲、ＨＬ  上限、ＬＬ  下限、２０，３２０，４２０，５２０  燃料計、２１，２１１，２２１  指針部、２３，２２３  背景部、２５，２１５，２２５  文字部、２６，２１６  目盛部、３２８  ウォーニング部、２９  アイコン部、３０，２３０  表示板、３１  表示板開口部、２３２  回転透光板、２３３  スモーク板、２３４  目盛部材、２３５  リフレクタ、４０，２４０，４４０，５４０  回転偏光板（第二偏光板，特定偏光板，非特定偏光板）、４１，５４１  回転軸部、４３  キャップ部、５０，２５０，３５０，４５０，５５０  複屈折板、５１  外嵌部、３５２  複屈折板開口部、６０，２６０，４６０，５６０  固定偏光板（第一偏光板，非特定偏光板，特定偏光板）、６１  偏光板開口部、６５，３６５，４６５  支持部材、２６６  導光板、８０  回路基板、８１  基板開口部、８２  ＬＥＤ（光源）、８３，２８３  ステッパーモータ、８４  指針軸部、２８４  指針筒部、８５  メータ制御部、８６  車内ＬＡＮ、８７  イグニッション・リレー、８８  バッテリ、８９  ＬＥＤ、１００，２００  コンビネーションメータ（指針表示装置）、２１０  スピードメータ、２２０  ハイブリッドシステムインジケータ
【図１】
0005742729.tif 000002
【図２】
0005742729.tif 000003
【図３】
0005742729.tif 000004
【図４】
0005742729.tif 000005
【図５】
0005742729.tif 000006
【図６】
0005742729.tif 000007
【図７】
0005742729.tif 000008
【図８】
0005742729.tif 000009
【図９】
0005742729.tif 000010
【図１０】
0005742729.tif 000011
【図１１】
0005742729.tif 000012
【図１２】
0005742729.tif 000013
【図１３】
0005742729.tif 000014